(57)【要約】【課題】ヘッダ圧縮を実行している場合であってもハンドオーバの処理期間を短くしたい。【解決手段】複数の通信部３０は、複数の無線通信方式にそれぞれ対応する。処理部３２は、ハンドオーバの実行が決定された場合、複数の通信部３０のうちの一方と通信を実行している基地局装置に対して、ヘッダ部分の圧縮の解除を要求する。処理部３２は、要求の結果、ヘッダ部分の圧縮が解除されたパケット信号と、複数の通信部３０のうちの新たに通信を実行する他方において受信したパケット信号との対応を確認する。処理部３２は、対応が確認された場合、複数の通信部３０のうちの他方において受信したパケット信号を処理する。【選択図】図３
2008283499.tif 000002
【特許請求の範囲】
【請求項１】
複数の無線通信方式にそれぞれ対応した複数の通信部と、
前記複数の通信部のうちの一方において受信したパケット信号であって、かつヘッダ部分が圧縮されたパケット信号を処理する手段と、少なくとも圧縮されたヘッダ部分に誤りが生じた場合に、前記複数の通信部のうちの一方に対して、後段のパケット信号も含めて再送を実行させる手段とを含む第１処理部と、
前記第１処理部での処理を実行しているときにハンドオーバの実行が決定された場合、前記複数の通信部のうちの一方と通信を実行している基地局装置に対して、ヘッダ部分の圧縮の解除を要求する要求部と、
前記要求部による要求の結果、ヘッダ部分の圧縮が解除されたパケット信号と、前記複数の通信部のうちの新たに通信を実行する他方において受信したパケット信号との対応を確認する確認部と、
前記確認部において対応が確認された場合、前記複数の通信部のうちの他方において受信したパケット信号を処理する第２処理部と、
を備えることを特徴とする端末装置。
【請求項２】
複数の無線通信方式にそれぞれ対応した複数の通信部と、
前記複数の通信部のうちの一方において受信したパケット信号であって、かつヘッダ部分が圧縮されたパケット信号を処理する手段と、少なくとも圧縮されたヘッダ部分に誤りが生じた場合に、前記複数の通信部のうちの一方に対して、後段のパケット信号も含めて再送を実行させる手段とを含む第１処理部と、
前記第１処理部での処理を実行しているときにハンドオーバの実行が決定された場合、
前記第１処理部において処理されたパケット信号と、前記複数の通信部のうちの新たに通信を実行する他方において受信したパケット信号との対応を確認する確認部と、
前記確認部において対応が確認された場合、前記複数の通信部のうちの他方において受信したパケット信号を処理する第２処理部とを備え、
前記確認部は、対応を確認しているときに、前記第１処理部において処理されたパケット信号の誤りの数がしきい値よりも多くなった場合、前記複数の通信部のうちの一方と通信を実行している基地局装置に対して、ヘッダ部分の圧縮の解除を要求することを特徴とする端末装置。
【請求項３】
前記確認部は、前記第１処理部での処理を実行しているときにハンドオーバの実行が決定された場合、前記第１処理部において処理されたパケット信号の誤りの数がしきい値よりも多い場合、対応を確認する前に、前記複数の通信部のうちの一方と通信を実行している基地局装置に対して、ヘッダ部分の圧縮の解除を要求することを特徴とする請求項２に記載の端末装置。
【請求項４】
複数の無線通信方式のうちの一方に対応したパケット信号であって、かつヘッダ部分が圧縮されたパケット信号を受信しており、少なくとも圧縮されたヘッダ部分に誤りが生じた場合に、後段のパケット信号も含めて再送を実行させるステップと、
ハンドオーバの実行が決定された場合、複数の無線通信方式のうちの一方に対応した基地局装置に対して、ヘッダ部分の圧縮の解除を要求するステップと、
要求の結果、ヘッダ部分の圧縮が解除されたパケット信号と、複数の無線通信方式のうちの新たに通信を実行する他方に対応したパケット信号との対応を確認するステップと、
対応が確認された場合、複数の無線通信方式のうちの新たに通信を実行する他方に対応したパケット信号を受信するステップと、
を備えることを特徴とするハンドオーバ処理方法。
【請求項５】
複数の無線通信方式のうちの一方に対応したパケット信号であって、かつヘッダ部分が圧縮されたパケット信号を受信しており、少なくとも圧縮されたヘッダ部分に誤りが生じた場合に、後段のパケット信号も含めて再送を実行させるステップと、
ハンドオーバの実行が決定された場合、複数の無線通信方式のうちの一方に対応したパケット信号と、複数の無線通信方式のうちの新たに通信を実行する他方に対応したパケット信号との対応を確認するステップと、
対応が確認された場合、複数の無線通信方式のうちの新たに通信を実行する他方に対応したパケット信号を受信するステップとを備え、
前記確認するステップは、対応を確認しているときに、複数の無線通信方式のうちの一方に対応したパケット信号の誤りの数がしきい値よりも多くなった場合、複数の無線通信方式のうちの一方に対応した基地局装置に対して、ヘッダ部分の圧縮の解除を要求することを特徴とするハンドオーバ処理方法。
【発明の詳細な説明】
【技術分野】
【０００１】
本発明は、ハンドオーバ処理技術に関し、特に複数の無線通信方式に対応している場合のハンドオーバ処理方法およびそれを利用した端末装置に関する。
【背景技術】
【０００２】
無線通信システムでは、一般的に、端末装置と基地局装置とが接続され、通信が実行される。端末装置が移動する場合、ハンドオーバが実行されることによって、端末装置は、切替元の基地局装置との通信に代わって、切替先の基地局装置との通信を実行する。一方、無線通信システムがＩＰ（Ｉｎｔｅｒｎｅｔ  Ｐｒｏｔｏｃｏｌ）をもとに制御されている場合、ＩＰヘッダ、ＴＣＰヘッダ、ＵＤＰヘッダ、ＲＴＰヘッダによる伝送効率の低下を抑制するために、ヘッダ圧縮技術が使用される。ヘッダ圧縮技術とは、一般的に、既に送信したヘッダの情報と新たに送信すべき情報との差分を新たなヘッダとすることによって、ヘッダの量を削減する技術である。つまり、ヘッダ圧縮技術が使用される場合、前後のヘッダの情報間には相関がある。そのため、ハンドオーバが実行される場合でも、前後のヘッダの情報間における相関の維持が要求される（例えば、特許文献１参照）。
【特許文献１】特表２００３−５１４４７０号公報
【発明の開示】
【発明が解決しようとする課題】
【０００３】
また、複数の無線通信システム間に対するシステム間ハンドオーバも検討されている。このようなシステム間ハンドオーバでは、一般的にシステム間において同期が確立していない。このような場合、端末装置は、切替元の基地局装置において送受信されるデータと、切替先の基地局装置において送受信されるデータとの整合性を確認するために、両方の基地局装置と接続する。つまり、端末装置は、切替元の基地局装置と接続している状態から、切替元と切替先の基地局装置と接続している状態（以下、「両接続状態」という）を経て、切替先の基地局装置に接続する。このような両接続状態は、無線リソースの有効利用や、高速移動環境下への適用を考慮すれば、短い方が望ましい。
【０００４】
一方、切替元の基地局装置と端末装置との間において、ヘッダ圧縮技術が使用されていれば、受信側においてヘッダ伸張がなされる。ヘッダ圧縮に過去の情報が使用されていれば、ヘッダ伸張においても過去の情報が必要になる。その結果、所定のヘッダに誤りが発生すると、後段のヘッダにも影響が及ぼされる。このような状態において、受信側が正確なヘッダを取得するために、誤りの発生したヘッダを含んだパケット信号以降のパケット信号が再送される。このような再送がなされると、両接続状態の期間が長くなってしまう。
【０００５】
本発明はこうした状況に鑑みてなされたものであり、その目的は、ヘッダ圧縮を実行している場合であってもハンドオーバの処理期間を短くするハンドオーバ処理技術を提供することにある。
【課題を解決するための手段】
【０００６】
上記課題を解決するために、本発明のある態様の端末装置は、複数の無線通信方式にそれぞれ対応した複数の通信部と、複数の通信部のうちの一方において受信したパケット信号であって、かつヘッダ部分が圧縮されたパケット信号を処理する手段と、少なくとも圧縮されたヘッダ部分に誤りが生じた場合に、複数の通信部のうちの一方に対して、後段のパケット信号も含めて再送を実行させる手段とを含む第１処理部と、第１処理部での処理を実行しているときにハンドオーバの実行が決定された場合、複数の通信部のうちの一方と通信を実行している基地局装置に対して、ヘッダ部分の圧縮の解除を要求する要求部と、要求部による要求の結果、ヘッダ部分の圧縮が解除されたパケット信号と、複数の通信部のうちの新たに通信を実行する他方において受信したパケット信号との対応を確認する確認部と、確認部において対応が確認された場合、複数の通信部のうちの他方において受信したパケット信号を処理する第２処理部と、を備える。
【０００７】
本発明の別の態様もまた、端末装置である。この装置は、複数の無線通信方式にそれぞれ対応した複数の通信部と、複数の通信部のうちの一方において受信したパケット信号であって、かつヘッダ部分が圧縮されたパケット信号を処理する手段と、少なくとも圧縮されたヘッダ部分に誤りが生じた場合に、複数の通信部のうちの一方に対して、後段のパケット信号も含めて再送を実行させる手段とを含む第１処理部と、第１処理部での処理を実行しているときにハンドオーバの実行が決定された場合、第１処理部において処理されたパケット信号と、複数の通信部のうちの新たに通信を実行する他方において受信したパケット信号との対応を確認する確認部と、確認部において対応が確認された場合、複数の通信部のうちの他方において受信したパケット信号を処理する第２処理部とを備える。確認部は、対応を確認しているときに、第１処理部において処理されたパケット信号の誤りの数がしきい値よりも多くなった場合、複数の通信部のうちの一方と通信を実行している基地局装置に対して、ヘッダ部分の圧縮の解除を要求する。
【０００８】
本発明のさらに別の態様は、ハンドオーバ処理方法である。この方法は、複数の無線通信方式のうちの一方に対応したパケット信号であって、かつヘッダ部分が圧縮されたパケット信号を受信しており、少なくとも圧縮されたヘッダ部分に誤りが生じた場合に、後段のパケット信号も含めて再送を実行させるステップと、ハンドオーバの実行が決定された場合、複数の無線通信方式のうちの一方に対応した基地局装置に対して、ヘッダ部分の圧縮の解除を要求するステップと、要求の結果、ヘッダ部分の圧縮が解除されたパケット信号と、複数の無線通信方式のうちの新たに通信を実行する他方に対応したパケット信号との対応を確認するステップと、対応が確認された場合、複数の無線通信方式のうちの新たに通信を実行する他方に対応したパケット信号を受信するステップと、を備える。
【０００９】
本発明のさらに別の態様もまた、ハンドオーバ処理方法である。この方法は、複数の無線通信方式のうちの一方に対応したパケット信号であって、かつヘッダ部分が圧縮されたパケット信号を受信しており、少なくとも圧縮されたヘッダ部分に誤りが生じた場合に、後段のパケット信号も含めて再送を実行させるステップと、ハンドオーバの実行が決定された場合、複数の無線通信方式のうちの一方に対応したパケット信号と、複数の無線通信方式のうちの新たに通信を実行する他方に対応したパケット信号との対応を確認するステップと、対応が確認された場合、複数の無線通信方式のうちの新たに通信を実行する他方に対応したパケット信号を受信するステップとを備える。確認するステップは、対応を確認しているときに、複数の無線通信方式のうちの一方に対応したパケット信号の誤りの数がしきい値よりも多くなった場合、複数の無線通信方式のうちの一方に対応した基地局装置に対して、ヘッダ部分の圧縮の解除を要求する。
【００１０】
なお、以上の構成要素の任意の組合せ、本発明の表現を方法、装置、システム、記録媒体、コンピュータプログラムなどの間で変換したものもまた、本発明の態様として有効である。
【発明の効果】
【００１１】
ヘッダ圧縮を実行している場合であってもハンドオーバの処理期間を短くできる。
【発明を実施するための最良の形態】
【００１２】
本発明を具体的に説明する前に、概要を述べる。本発明の実施例は、ふたつの無線通信システムを使用する通信システムに関する。ここで、ふたつの無線通信システムとして、移動通信システムと固定通信システムとが使用される。移動通信システムは、ＴＤＭＡ（Ｔｉｍｅ  Ｄｉｖｉｓｉｏｎ  Ｍｕｌｔｉｐｌｅ  Ａｃｃｅｓｓ）やＣＤＭＡ（Ｃｏｄｅ  Ｄｉｖｉｓｉｏｎ  Ｍｕｌｔｉｐｌｅ  Ａｃｃｅｓｓ）を使用するが、ここでは、例えば、後者を説明の対象とする。以下では、ＣＤＭＡに対応した移動通信システムを単に「ＣＤＭＡ」という。また、固定通信システムとして、例えば、ＩＥＥＥ８０２．１６規格、ＩＥＥＥ８０２．１６ｅ規格に準拠した通信システムがあり、これらは、ＷｉＭＡＸ（Ｗｏｒｌｄ  Ｉｎｔｅｒｏｐｅｒａｂｉｌｉｔｙ  ｆｏｒ  Ｍｉｃｒｏｗａｖｅ  Ａｃｃｅｓｓ）（商標）とも呼ばれている。
【００１３】
以下では、これらに対応した固定通信システムを単に「ＷｉＭＡＸ」という。なお、ＩＥＥＥ８０２．１６ｅ規格に準拠した通信システムは、移動通信システムにも分類可能であるが、ここでは説明を明瞭にするために、固定通信システムに含める。また、通信システムは、ＣＤＭＡに対応した基地局装置、ＷｉＭＡＸに対応した基地局装置、両者と有線回線にて接続するＩＭＳ（ＩＰ  Ｍｕｌｔｉｍｅｄｉａ  Ｓｕｂｓｙｓｔｅｍ）、両者と無線回線にて接続する端末装置によって構成される。端末装置は、ＣＤＭＡに対応した基地局装置と、ＷｉＭＡＸに対応した基地局装置とに対して、システム間ハンドオーバを実行する。ここでは、説明を明瞭にするために、端末装置は、ＷｉＭＡＸに対応した基地局装置からＣＤＭＡに対応した基地局装置へシステム間ハンドオーバを実行する場合を説明の対象とする。
【００１４】
なお、前提として、端末装置が、ＷｉＭＡＸに対応した基地局装置と通信しているときに、ヘッダ圧縮が実行されているものとする。そのため、端末装置は、受信したパケット信号からヘッダを抽出し、抽出したヘッダに対して伸張を実行することによって、当該パケット信号に対する制御情報を取得する。前述のごとく、このようなヘッダ圧縮は、両接続状態の期間延長につながり、ハンドオーバの処理期間の延長につながる。このような課題に対して、本実施例に係る端末装置は、以下の処理を実行する。
【００１５】
端末装置は、ＷｉＭＡＸからＣＤＭＡへのシステム間ハンドオーバの実行を決定した場合、ＷｉＭＡＸに対応した基地局装置に対して、ヘッダ圧縮の解除を要求する。その結果、端末装置とＷｉＭＡＸに対応した基地局装置との間において伝送されるパケット信号には、ヘッダ圧縮が実行されない。また、端末装置は、両接続状態に移行した後、ＷｉＭＡＸに対応した基地局装置でのパケット信号と、ＣＤＭＡに対応した基地局装置でのパケット信号の対応を確認する。確認終了後、端末装置は、ＷｉＭＡＸに対応した基地局装置との接続を切断し、ＣＤＭＡに対応した基地局装置との通信を続行する。
【００１６】
図１は、本発明の実施例に係る通信システム１００の構成を示す。通信システム１００は、ＩＰネットワーク１０、ＩＭＳ１２、ＧＷ（ＧａｔｅＷａｙ）１４、基地局装置１６と総称される第１基地局装置１６ａ、第２基地局装置１６ｂ、端末装置２０を含む。また、第１基地局装置１６ａは、第１基地局用アンテナ１８ａを含み、第２基地局装置１６ｂは、第２基地局用アンテナ１８ｂを含む。ここで、第１基地局用アンテナ１８ａと第２基地局用アンテナ１８ｂとは、基地局用アンテナ１８と総称される。また、端末装置２０は、端末用アンテナ２２を含む。
【００１７】
第１基地局装置１６ａは、前述のＷｉＭＡＸに対応した基地局装置に相当し、第２基地局装置１６ｂは、前述のＣＤＭＡに対応した基地局装置に相当する。これらは、無線側の他にも有線側のインターフェイスを有し、有線側のインターフェイスにおいて、ＩＰネットワーク１０に接続されている。ここで、第２基地局装置１６ｂは、ＧＷ１４を介してＩＰネットワーク１０に接続される。また、ＩＰネットワーク１０には、図示されないルータ等が含まれている。なお、ＣＤＭＡに対応した基地局装置とは、ＣＤＭＡによって多重化した端末装置２０との間において通信を実行する移動通信システムの基地局装置である。
【００１８】
また、ＷｉＭＡＸに対応した基地局装置とは、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）によって多重化した端末装置２０との間において通信を実行する固定通信システムの基地局装置である。ここで、ＣＤＭＡおよびＷｉＭＡＸの詳細については、説明を省略する。基地局装置１６は、下り回線において、後述のＩＭＳ１２から受けつけたデータを端末装置２０に送信し、上り回線において、端末装置２０から受けつけたデータをＩＭＳ１２に送信する。その際、基地局用アンテナ１８が使用される。
【００１９】
ＩＭＳ１２は、端末装置２０との通信に使用すべき基地局装置１６を制御する。また、ＩＭＳ１２は、ＩＰネットワーク１０と基地局装置１６との間において、データを中継する。下り回線において、ＩＭＳ１２は、ＩＰネットワーク１０から、端末装置２０に送信すべきデータを受けつける。ＩＭＳ１２は、第１基地局装置１６ａおよび第２基地局装置１６ｂ、あるいはいずれか一方へ、受けつけたＩＰパケットを出力する。また、上り回線において、ＩＭＳ１２は、第１基地局装置１６ａおよび第２基地局装置１６ｂ、あるいはいずれか一方からＩＰパケットを受けつける。ＩＭＳ１２は、受けつけたＩＰパケットをＩＰネットワーク１０へ出力する。
【００２０】
端末装置２０は、音声通信やデータ通信のための機能、およびＣＤＭＡに対応した通信機能とＷｉＭＡＸに対応した通信機能とを有する。そのため、端末装置２０は、第１基地局装置１６ａに接続することによって、ＷｉＭＡＸによる通信を実行し、第２基地局装置１６ｂに接続することによって、ＣＤＭＡによる通信を実行する。その際、端末用アンテナ２２が使用される。また、端末装置２０は、ふたつの無線通信システムに対するシステム間ハンドオーバの機能を有する。システム間ハンドオーバの途中のステップにおいて、前述の両接続状態のごとく、端末装置２０がふたつの基地局装置１６に接続される。図１は、この状態を示している。
【００２１】
ここで、ＷｉＭＡＸにおいて使用されているパケット信号は、ＩＰパケットに対応しており、当該ＩＰパケット信号のペイロードには、ＴＣＰパケット信号あるいはＵＤＰパケット信号が含まれている。説明を明瞭にするために、ここでは、ＵＤＰパケット信号が含まれているものとする。また、ＵＤＰパケット信号のペイロードには、ＲＴＰパケット信号が含まれている。そのため、パケット信号には、ＩＰヘッダ、ＵＤＰヘッダ、ＲＴＰヘッダが含まれている。本実施例において、ＷｉＭＡＸでは、ヘッダ圧縮がなされているものとする。例えば、ヘッダ圧縮として、ＲＯＨＣ（ＲＯｂｕｓｔ  Ｈｅａｄｅｒ  Ｃｏｍｐｒｅｓｓｉｏｎ）が使用されている。また、ＲＯＨＣは、公知の技術であるが、ここでは、それを簡単に説明する。
【００２２】
ＲＯＨＣにおいて、ヘッダのフィールドは、次の３種類に分類される。ひとつ目は、値が完全に固定されているか、ほとんど固定されているフィールドである。これには、ＲＴＰ  ＳＳＲＣ、ＵＤＰポート、ＩＰアドレスなどが含まれる。このようなフィールドは、初期の段階において１度送信されれば、その後、変更されない。ふたつ目は、送信されるパケット信号ごとに予測可能な方法で値が変化するフィールドである。これには、ＲＴＰタイムスタンプ、シーケンス番号等が含まれる。このようなフィールドの予測有効期間には、一般的に、フィールド間に一定の関係が確立されている。３つ目は、予測不能なフィールドである。これには、ＵＤＰチェックサムなどが含まれる。このようなフィールドは、無作為な値となるので、圧縮せずにそのまま送信されなければならない。
【００２３】
このような分類がなされている状況において、ＲＯＨＣは、ＲＴＰシーケンス番号と、それ以外の予測可能フィールドとを対応づける関数を確立し、ＲＴＰシーケンス番号と予測不能なヘッダフィールドを確実に転送する。特にふたつ目のフィールドに対して、ＲＯＨＣでは、ＲＴＰシーケンス番号がすべてのパケット信号に格納され、それ以外のフィールドは、暗示的なマッピング関数を使用して導き出される。これらのマッピング関数は、送信開始時または予測可能フィールドの変更時に伝送される固定フィールド値と共に、圧縮コンテキストの構成要素となる。
【００２４】
以下、ＲＯＨＣにて規定される状態を説明する前に、ＲＴＰパケットの構成を説明する。図２（ａ）−（ｂ）は、通信システム１００において使用されるＲＴＰデータパケットのフォーマットを示す。図２（ａ）は、圧縮前のＲＴＰデータパケットのフォーマットを示す。「Ｖ」は、バージョン番号に相当し、「Ｐ」は、パディングに相当し、「Ｘ」は、拡張ビットに相当し、「ＣＣ」は、ＣＳＲＣカウントに相当し、「Ｍ」は、マーカに相当し、「ＰＴ」は、ペイロードタイプに相当する。「シーケンス番号」は、パケット信号の識別に使用され、パケット信号が欠落したり誤った順番で配信されていないかを通知するための情報である。これは、パケット信号が送信されるたびに１ずつ加算され、最大値に達すると０に戻る。
【００２５】
「タイムスタンプ」は、パケット信号に含まれるメディアデータの最初のオクテットがサンプリングされた瞬間を表し、メディアデータの再生をスケジュールするために使用される。「ＳＳＲＣ識別子」は、同期ソース識別子に相当し、「ＣＳＲＣ識別子」は、貢献ソース識別子に相当する。図２（ｂ）は、ヘッダが完全な形である場合の追加フィールドのフォーマットを示す。図示のごとく、「Ｇｅｎｅｒａｔｉｏｎフィールド」、「コンテキスト識別子フィールド」、「シーケンス番号フィールド」が含まれる。図１に戻る。
【００２６】
ＲＯＨＣでは、３つの状態が規定されている。ひとつ目は、初期化・リフレッシュ状態である。この状態では、図２（ａ）−（ｂ）に示されたヘッダが送信される。この状態において、コンテキストを確立するために必要な情報が送信された後、後述の一次圧縮状態または二次圧縮状態への移行がなされる。ふたつ目は、一次圧縮状態である。この状態では、コンテキストの変更部分が送信される。具体的には、ＲＴＰシーケンス番号、コンテキスト識別子、変更されたフィールドが送信される。３つ目は、二次圧縮状態である。この状態は、ＲＴＰシーケンス番号と保存済みコンテキストからヘッダ全体が予測できる場合に使用される。具体的には、ＲＴＰシーケンス番号とコンテキスト識別子だけが送信される。その結果、伝送効率が改善される。
【００２７】
このような二次圧縮状態では、Ｗ−ＬＳＢ（Ｗｉｎｄｏｗ−ｂａｓｅｄ  Ｌｅａｓｔ−Ｓｉｇｎｉｆｉｃａｎｔ  Ｂｉｔ）エンコーディングが使用される。Ｗ−ＬＳＢを使用することによって、ウインドウ内で少数のパケット信号が欠落しても、受信側において同期が失われない。しかしながら、ウインドウ内において欠落するパケット信号の数が増加すると、受信側において同期が失われる。その場合、後段のパケット信号も受信できなくなってしまう。受信できなかったパケット信号に対して、再送が実行されるが、その結果、伝送効率が低下し、通信期間が長期になる。このような現象が、前述の両接続状態において生じると、ハンドオーバの処理期間が長くなってしまう。
【００２８】
図３は、端末装置２０の構成を示す。端末装置２０は、端末用アンテナ２２、通信部３０と総称される第１通信部３０ａ、第２通信部３０ｂ、処理部３２、ＩＦ部３４、制御部３６、記憶部３８を含む。また、処理部３２は、第１処理部５０、要求部５２、確認部５４、第２処理部５６を含む。なお、ここでの処理は、図１のごとく、複数の基地局装置１６に端末装置２０が接続している場合の処理に対応し、複数の基地局装置１６のうちの一方に端末装置２０が接続している場合、対応している部分だけが動作すればよい。
【００２９】
通信部３０は、図１の基地局装置１６との間において無線通信を実行する。具体的には、第１通信部３０ａは、図１の第１基地局装置１６ａとの通信を実行するために、ＷｉＭＡＸ通信を実行する。また、第２通信部３０ｂは、図１の第２基地局装置１６ｂとの通信を実行するために、ＣＤＭＡ通信を実行する。つまり、複数の通信部３０は、複数の無線通信方式にそれぞれ対応する。
【００３０】
まず、通信部３０における受信処理を説明する。通信部３０は、端末用アンテナ２２において受信した無線周波数の信号に対して周波数変換を実行し、ベースバンドの信号を生成する。なお、ＣＤＭＡとＷｉＭＡＸのそれぞれにおいて使用される無線周波数は、一般的に異なっているが、ここでは、それらを総称して単に無線周波数とする。また、通信部３０には、ＡＧＣ（Ａｕｔｏｍａｔｉｃ  Ｇａｉｎ  Ｃｏｎｔｒｏｌ）やＡ／Ｄ変換部も含まれる。つづいて、通信部３０は、ベースバンドの信号を復調する。ここで、第１通信部３０ａは、ＦＦＴ（Ｆａｓｔ  Ｆｏｕｒｉｅｒ  Ｔｒａｎｓｆｏｒｍ）を実行し、第２通信部３０ｂは、逆拡散処理を実行する。さらに、通信部３０は、復号も実行する。最終的に、通信部３０は、復号した信号を処理部３２へ出力する。
【００３１】
次に、通信部３０における送信処理を説明する。通信部３０は、処理部３２から入力した信号を変調する。また、第１通信部３０ａは、ＩＦＦＴを実行し、第２通信部３０ｂは、拡散処理を実行する。さらに、通信部３０は、変調処理の前に、符号化も実行する。通信部３０は、ベースバンドの信号に対して周波数変換を実行し、無線周波数の信号を生成する。さらに、通信部３０は、無線周波数の信号を端末用アンテナ２２に出力する。また、通信部３０には、ＰＡ（Ｐｏｗｅｒ  Ａｍｐｌｉｆｉｅｒ）、Ｄ／Ａ変換部も含まれる。
【００３２】
処理部３２は、通信部３０からの信号を入力し、信号をＩＦ部３４に出力する。例えば、ＷｉＭＡＸ通信が実行されているとき、第１処理部５０は、第１通信部３０ａからのパケット信号を受信する。ここで、受信したパケット信号のヘッダ部分には、圧縮がなされている。なお、圧縮には、前述のごとく、ＲＯＨＣが使用されている。また、第１処理部５０は、ヘッダを伸張した後、ヘッダの内容を解析し、ヘッダ内容に応じた処理を実行する。ここで、少なくとも圧縮されたヘッダ部分に誤りが生じた場合であって、かつＷ−ＬＳＢエンコーディングによっても誤りが補正されない場合に、第１処理部５０は、第１通信部３０ａを介して、図示しない第１基地局装置１６ａに、後段のパケット信号も含めながら再送を実行させる。
【００３３】
処理部３２は、第１通信部３０ａを使用しながらＷｉＭＡＸ通信の処理を実行しているときに、制御部３６から、ハンドオーバの実行の指示を受けつける。なお、制御部３６は、公知の技術を使用しながら、例えば、受信電力の値を監視しながら、ハンドオーバの実行を決定する。要求部５２は、指示を受けつけると、第１通信部３０ａを介して、図示しない第１基地局装置１６ａに対して、ヘッダ部分の圧縮の解除を要求する。その結果、第１通信部３０ａと第１基地局装置１６ａとの間のＷｉＭＡＸ通信において、ヘッダ圧縮は使用されなくなる。そのため、仮に、ヘッダ部分に誤りが生じた場合であっても、当該ヘッダを含んだパケット信号だけが再送される。
【００３４】
これにつづいて、ハンドオーバ処理は、両接続状態に移行する。つまり、第２通信部３０ｂと図示しない第２基地局装置１６ｂとの間でも通信が実行される。確認部５４は、通信部３０からの信号を記憶部３８に出力する。記憶部３８は、確認部５４からの信号、つまり複数の通信部３０のそれぞれにおいて受信した信号とを対応づけながら記憶する。ここで、確認部５４は、記憶部３８に記憶されたパケット信号、つまりＷｉＭＡＸ通信において規定されたパケット信号と、ＣＤＭＡ通信において規定されたパケット信号との対応を確認する。なお、対応の確認として、例えば、両方のパケット信号に、同一のデータが含まれているかが確認される。確認部５４は、対応を確認できた場合、その旨を制御部３６に通知する。制御部３６は、通知を受けつけると、第１通信部３０ａに対して通信を切断させる。その結果、第２処理部５６は、第２通信部３０ｂを介したＣＤＭＡ通信のみを実行し、第２通信部３０ｂにおいて受信したパケット信号を処理する。一方、処理部３２がＩＦ部３４から信号を入力した場合、処理部３２は、入力した信号を通信部３０に出力する。
【００３５】
ＩＦ部３４は、ＩＭＳ１２に送信すべきデータを入力し、ＩＭＳ１２から受信したデータを出力する。例えば、ＩＦ部３４は、電話通信などの音声通信に関する処理を実行する。ＩＦ部３４は、図示しないマイク、スピーカを接続しており、マイクから音声を入力し、入力した音声を符号化し、符号化した信号をデータとして処理部３２へ出力する。また、ＩＦ部３４は、処理部３２からデータを入力し、復号することによって音声を再生する。また、再生された音声は、スピーカから出力される。ＩＦ部３４における符号化および復号には、公知の技術が使用されればよいので、ここでは、説明を省略する。
【００３６】
また、ＩＦ部３４は、電子メール、インターネット接続などのデータ通信に関する処理を実行する。ＩＦ部３４は、図示しない操作部、表示部を接続しており、操作部からユーザの指示やデータ（以下、「データ等」という）を入力し、入力したデータ等を符号化し、符号化したデータ等を前述のデータとして処理部３２へ出力する。また、ＩＦ部３４は、処理部３２から、前述のデータを入力し、復号することによってデータ等を再生する。また、再生されたデータは、表示部に表示される。制御部３６は、複数の通信部３０のそれぞれの動作を制御する。特に、制御部３６は、前述のごとく、ハンドオーバ処理の実行等を決定する。
【００３７】
この構成は、ハードウエア的には、任意のコンピュータのＣＰＵ、メモリ、その他のＬＳＩで実現でき、ソフトウエア的にはメモリにロードされた通信機能のあるプログラムなどによって実現されるが、ここではそれらの連携によって実現される機能ブロックを描いている。したがって、これらの機能ブロックがハードウエアのみ、ソフトウエアのみ、またはそれらの組合せによっていろいろな形で実現できることは、当業者には理解されるところである。
【００３８】
以上の構成による端末装置２０の動作を説明する。図４は、通信システム１００におけるハンドオーバ処理の手順を示すシーケンス図である。ＩＭＳ１２は、第１基地局装置１６ａと通信し（Ｓ１０）、第１基地局装置１６ａは、端末装置２０と通信する（Ｓ１２）。その結果、第１基地局装置１６ａを介して、ＩＭＳ１２と端末装置２０とが、通信する。端末装置２０は、第２基地局装置１６ｂへのシステム間ハンドオーバの実行したとき、第１基地局装置１６ａに対して、ヘッダ圧縮の解除を要求する。また、端末装置２０は、第２基地局装置１６ｂに対して接続要求を送信する（Ｓ１４）。また、第２基地局装置１６ｂは、ＩＭＳ１２に接続要求を送信する（Ｓ１６）。
【００３９】
ＩＭＳ１２は、第２基地局装置１６ｂを介した端末装置２０の接続を許可し、第２基地局装置１６ｂに応答を送信する（Ｓ１８）。また、第２基地局装置１６ｂは、端末装置２０に応答を送信する（Ｓ２０）。その結果、ＩＭＳ１２は、第２基地局装置１６ｂと通信し（Ｓ２２）、第２基地局装置１６ｂは、端末装置２０と通信する（Ｓ２４）。なお、前述のごとく、ＩＭＳ１２は、第１基地局装置１６ａとも通信し（Ｓ２６）、第１基地局装置１６ａは、端末装置２０と通信する（Ｓ２８）。つまり、前述の両接続状態が確立される。端末装置２０において、第１基地局装置１６ａからのパケット信号と、第２基地局装置１６ｂからのパケット信号との対応が確認される（Ｓ３０）と、端末装置２０は、第１基地局装置１６ａを介したＩＭＳ１２との通信を切断し、第２基地局装置１６ｂを介してＩＭＳ１２との通信を実行する（Ｓ３２、Ｓ３４）。
【００４０】
図５は、制御部３６および処理部３２におけるハンドオーバ処理の手順を示すフローチャートである。制御部３６は、ハンドオーバの開始を決定しなければ（Ｓ５０のＮ）、待機する。一方、制御部３６は、ハンドオーバの開始を決定すれば（Ｓ５０のＹ）、処理部３２は、ヘッダ圧縮を解除する（Ｓ５２）。その後、両接続状態に移行する。処理部３２は、対応を確認しなければ（Ｓ５４のＮ）、待機する。処理部３２は、対応を確認すれば（Ｓ５４のＹ）、基地局装置１６の切替を実行する（Ｓ５６）。
【００４１】
以下、変形例を説明する。変形例でも、実施例と同様にシステム間ハンドオーバを説明の対象とする。実施例において、端末装置２０は、ハンドオーバの実行を決定すると、ＷｉＭＡＸに対応した基地局装置１６に対して、ヘッダ圧縮の解除を要求し、両接続状態に移行する。一方、変形例において、端末装置２０は、ハンドオーバの実行を決定すると、両接続状態に移行する。両接続状態のときにおいて、ＷｉＭＡＸ通信において誤りが生じると、端末装置２０は、ＷｉＭＡＸに対応した基地局装置１６に対して、ヘッダ圧縮の解除を要求する。つまり、ヘッダ圧縮を実行したまま、両接続状態に移行する。また、両接続状態のときに誤りが生ずれば、ヘッダ圧縮を実行したままの再送を実行せずに、ヘッダ圧縮の解除を行いながら再送を実行する。変形例に係る端末装置２０の構成は、図３と同一のタイプである。
【００４２】
処理部３２は、第１通信部３０ａを使用しながらＷｉＭＡＸ通信の処理を実行しているときに、制御部３６から、ハンドオーバの実行の指示を受けつける。処理部３２は、指示を受けつけると、両接続状態に移行する。つまり、第２通信部３０ｂと図示しない第２基地局装置１６ｂとの間でも通信が実行される。その後、前述のごとく、確認部５４は、記憶部３８に記憶されたパケット信号、つまりＷｉＭＡＸ通信において規定されたパケット信号と、ＣＤＭＡ通信において規定されたパケット信号との対応を確認する。
【００４３】
要求部５２は、対応を確認しているときに、第１通信部３０ａにおいて処理されたパケット信号の誤りの数がしきい値よりも多くなった場合、第１通信部３０ａを介して、図示しない第１基地局装置１６ａに対して、ヘッダ部分の圧縮の解除を要求する。ここで、パケット信号の誤りの数は、公知の技術において取得される。その結果、第１通信部３０ａと第１基地局装置１６ａとの間のＷｉＭＡＸ通信において、ヘッダ圧縮は使用されなくなる。そのため、仮に、ヘッダ部分に誤りが生じた場合であっても、当該ヘッダを含んだパケット信号だけが再送される。確認部５４は、対応を確認できた場合、その旨を制御部３６に通知する。制御部３６は、通知を受けつけると、第１通信部３０ａに対して通信を切断させる。その結果、第２処理部５６は、第２通信部３０ｂを介したＣＤＭＡ通信のみを実行し、第２通信部３０ｂにおいて受信したパケット信号を処理する。
【００４４】
図６は、本発明の変形例に係る制御部３６および処理部３２におけるハンドオーバ処理の手順を示すフローチャートである。制御部３６は、ハンドオーバの開始を決定しなければ（Ｓ７０のＮ）、待機する。一方、制御部３６は、ハンドオーバの開始を決定すれば（Ｓ７０のＹ）、処理部３２は、両接続状態に移行する。誤りがしきい値よりも多ければ（Ｓ７２のＹ）、ヘッダ圧縮を解除する（Ｓ７４）。誤りがしきい値よりも多くなければ（Ｓ７２のＮ）、ステップ７４はスキップされる。処理部３２は、対応を確認しなければ（Ｓ７６のＮ）、待機する。処理部３２は、対応を確認すれば（Ｓ７６のＹ）、基地局装置１６の切替を実行する（Ｓ７８）。
【００４５】
本発明の実施例によれば、システム間ハンドオーバの実行を決定したときに、既に接続している基地局装置に対してヘッダ圧縮の解除を要求してから、両接続状態に移行するので、誤りが発生しても再送すべきパケット信号の量を低減できる。また、再送すべきパケット信号の量が低減されるので、ハンドオーバの処理期間を短くできる。また、ハンドオーバの処理期間が短くなるので、高速なハンドオーバ処理を実行できる。また、システム間ハンドオーバの実行を決定したときに、ヘッダ圧縮を実行したまま両接続状態に移行し、誤りが発生したときにヘッダ圧縮を解除するので、誤りが発生しなければヘッダ圧縮を維持できる。また、ヘッダ圧縮が維持されるので、ハンドオーバの処理期間を短くできる。また、誤りが発生すれば、ヘッダ圧縮が解除されるので、ヘッダ圧縮を実行している場合であってもハンドオーバの処理期間を短くできる。
【００４６】
以上、本発明を実施例をもとに説明した。この実施例は例示であり、それらの各構成要素や各処理プロセスの組合せにいろいろな変形例が可能なこと、またそうした変形例も本発明の範囲にあることは当業者に理解されるところである。
【００４７】
本発明の変形例において、処理部３２は、ハンドオーバ処理の実行の指示を受けつけると、両接続状態に移行している。しかしながらこれに限らず例えば、処理部３２は、指示を受けつけたときに、第１通信部３０ａにおいて処理されたパケット信号の誤りの数がしきい値よりも多い場合、両接続状態に移行する前に、第１通信部３０ａとの通信を実行している第１基地局装置１６ａに対して、ヘッダ部分の圧縮の解除を要求する。つまり、誤りの数が多ければ、処理部３２は、実施例と同様の処理を実行する。本変形例によれば、予めヘッダ圧縮を解除してから両接続状態に移行するので、誤りが発生しても再送すべきパケット信号の量を低減できる。
【００４８】
本発明の実施例において、端末装置２０は、ひとつの端末用アンテナ２２を備えながら、送信処理および受信処理を実行している。しかしながらこれに限らず、端末装置２０は、複数の端末用アンテナ２２を備えながら、通信部３０は、複数のベースバンドの信号に対してアダプティブアレイ信号処理やダイバーシチ処理を実行してもよい。ここで、複数のベースバンドの信号は、複数の端末用アンテナ２２において受信された無線周波数の信号のそれぞれに対応する。また、アダプティブアレイ信号処理は、複数のベースバンド信号のそれぞれに対して受信ウエイトベクトルを導出し、導出した受信ウエイトベクトルにて複数のベースバンドの信号を重みづけた後に、それらを加算する。また、アダプティブアレイ信号処理は、これら以外であっても、公知の技術によって実現されればよい。一方、ダイバーシチ処理として、選択ダイバーシチ、同相合成ダイバーシチ、最大比合成ダイバーシチ等がなされればよい。
【００４９】
通信部３０は、送信処理においても受信処理の際と同様に、入力した信号に対して、アダプティブアレイ信号処理やダイバーシチ処理を実行してもよい。アダプティブアレイ信号処理は、受信ウエイトベクトルをもとに送信ウエイトベクトルを導出し、導出した送信ウエイトベクトルによって、変調した信号を重みづけした後に、それらをベースバンドの信号として出力する。また、ダイバーシチ処理は、複数の端末用アンテナ２２のうちのいずれかから無線周波数の信号が送信されるように、変調した信号のうちのいずれかを選択する。なお、以上の変形例は、基地局装置１６についても同様である。本変形例によれば、通信品質を向上できる。さらに、端末装置２０および通信部３０は、ＭＩＭＯ処理を実行してもよい。ＭＩＭＯ処理は、公知の技術によって実現されればよいので、ここでは、説明を省略する。本変形例によれば、通信速度を向上できる。
【００５０】
本発明の実施例において、通信システム１００は、ふたつの無線通信システムに対応している。しかしながらこれに限らず例えば、通信システム１００は、３つ以上の無線通信システムに対応していてもよい。３つ目の無線通信システムとして、例えば、ＩＥＥＥ８０２．１１に準拠した無線ＬＡＮ（Ｌｏｃａｌ  Ａｒｅａ  Ｎｅｔｗｏｒｋ）システムが使用される。本変形例によれば、多くの無線通信システムを使用することによって、通信速度をさらに向上でき、通信品質の悪化を抑制しやすくできる。
【図面の簡単な説明】
【００５１】
【図１】本発明の実施例に係る通信システムの構成を示す図である。
【図２】図２（ａ）−（ｂ）は、図１の通信システムにおいて使用されるＲＴＰデータパケットのフォーマットを示す図である。
【図３】図１の端末装置の構成を示す図である。
【図４】図１の通信システムにおけるハンドオーバ処理の手順を示すシーケンス図である。
【図５】図３の制御部および処理部におけるハンドオーバ処理の手順を示すフローチャートである。
【図６】本発明の変形例に係る制御部および処理部におけるハンドオーバ処理の手順を示すフローチャートである。
【符号の説明】
【００５２】
１０  ＩＰネットワーク、  １２  ＩＭＳ、  １４  ＧＷ、  １６  基地局装置、  １８  基地局用アンテナ、  ２０  端末装置、  ２２  端末用アンテナ、  ３０  通信部、  ３２  処理部、  ３４  ＩＦ部、  ３６  制御部、  ３８  記憶部、  １００  通信システム。
【図１】
2008283499.tif 000003
【図２】
2008283499.tif 000004
【図３】
2008283499.tif 000005
【図４】
2008283499.tif 000006
【図５】
2008283499.tif 000007
【図６】
2008283499.tif 000008